(57)【要約】【課題】配管の取付作業時における作業員の負担を軽減できる配管取付用ブラケットを提供すること。【解決手段】構造物に配管５を取り付けるための配管取付用ブラケット１０であって、配管５の下部を支持するとともに前記構造物に取り付けられるブラケット本体１１を備え、ブラケット本体１１には、配管５の下部を支持する水平部１１１が形成され、水平部１１１には、配管５の下部を収容する収容部１１４が形成され、ブラケット本体１１は、繊維強化プラスチックから成形されていることを特徴とする配管取付用ブラケット１０。【選択図】図２
2013096154.tif 000002
【特許請求の範囲】
【請求項１】
構造物に配管を取り付けるための配管取付用ブラケットであって、
前記配管の下部を支持するとともに前記構造物に取り付けられるブラケット本体を備え、
前記ブラケット本体には、前記配管の下部を支持する水平部が形成され、
この水平部には、前記配管の下部を収容する収容部が形成され、
前記ブラケット本体は、繊維強化プラスチックから成形されている
ことを特徴とする配管取付用ブラケット。
【請求項２】
請求項１に記載の配管取付用ブラケットにおいて、
前記収容部は、前記配管の外周部に沿う形状に形成されている
ことを特徴とする配管取付用ブラケット。
【請求項３】
請求項１又は請求項２に記載の配管取付用ブラケットにおいて、
前記ブラケット本体に取り付けられ前記配管の周囲を覆うバンド部を備え、
前記バンド部は、繊維強化プラスチックから成形されている
ことを特徴とする配管取付用ブラケット。
【請求項４】
請求項３に記載の配管取付用ブラケットにおいて、
前記バンド部は、その一端が前記ブラケット本体の前記水平部に取り付けられるとともにその他端が前記構造物に取り付けられ、
前記構造物、前記ブラケット本体、及び前記バンド部とで囲まれた領域内で前記配管を支持する
ことを特徴とする配管取付用ブラケット。
【請求項５】
請求項１から請求項４までのいずれかに記載の配管取付用ブラケットにおいて、
前記ブラケット本体は、断面コ字形に形成されている
ことを特徴とする配管取付用ブラケット。
【請求項６】
請求項１から請求項５までのいずれかに記載の配管取付用ブラケットにおいて、
前記ブラケット本体は、前記水平部の端部に接続されて一体に形成され、前記構造物の鉛直側面に取り付けられる鉛直部を備えている
ことを特徴とする配管取付用ブラケット。
【請求項７】
請求項１から請求項６までのいずれかに記載の配管取付用ブラケットにおいて、
前記ブラケット本体の内部には、補強用のステンレス板が埋設されている
ことを特徴とする配管取付用ブラケット。
【発明の詳細な説明】
【技術分野】
【０００１】
本発明は、橋梁と橋脚を有する構造物に水平方向に延びる配管を取り付けるための配管取付用ブラケットに関する。
【背景技術】
【０００２】
従来、高速道路や鉄道等の橋梁上面の雨水等を排水するために、橋梁の下面から橋脚の鉛直面にかけて複数の排水管を直列に継ぎ合わせて排水構造が構成されている。この排水構造のうち、橋梁の裏面に略水平に沿って複数の配管が並べられ、これらの配管が橋梁の裏面に設けられたブラケットで支持された従来例がある（例えば、特許文献１や特許文献２参照）。
【０００３】
特許文献１に記載された配管を取り付けるためのブラケットは、重量のある配管を支持するために、例えば、ステンレスや鉄等の金属製とされている。しかし、特許文献１に記載されたような金属製のブラケットは重いので、取扱性がよくなく、特に、高い位置での取付作業では、作業員に大きな負担を強いることになる。
【０００４】
そこで、特許文献２に記載されたような繊維強化プラスチック（Ｆｉｂｅｒ Ｒｅｉｎｆｏｒｃｅｄ Ｐｌａｓｔｉｃｓ，ＦＲＰ）で形成された配管取付用ブラケットも利用されている。この配管取付用ブラケットは、配管の下部を支持するブラケット本体と、このブラケット本体に取り付けられ前記配管の周囲を覆うバンド部とを備えている。このブラケット本体、及びバンド部を繊維強化プラスチックで形成したことで金属性のブラケットと比べて軽量となり、施工時やメンテナンス時での取り扱いが容易となる。
【先行技術文献】
【特許文献】
【０００５】
【特許文献１】特開２００７−２０５１２６号公報
【特許文献２】特開２０１１−６４０５３号公報
【発明の概要】
【発明が解決しようとする課題】
【０００６】
特許文献２に記載された配管取付用ブラケットのブラケット本体は、水平方向に平坦な水平部を有する。円筒状の配管がこの水平部上に載置されるため、バンド部で配管を固定するまでの間、配管が水平部上で安定しない。そのため、作業員は、配管が水平部上を移動したりしないように手で抑えたり、別途固定具などで仮止めする等の負担が生じている。このような事情の下で、配管の取付作業時における作業員の負担をさらに軽減したいという要望がある。
【０００７】
本発明の目的は、配管の取付作業時における作業員の負担を軽減できる配管取付用ブラケットを提供することである。
【課題を解決するための手段】
【０００８】
本発明の配管取付用ブラケットは、構造物に配管を取り付けるための配管取付用ブラケットであって、前記配管の下部を支持するとともに前記構造物に取り付けられるブラケット本体を備え、前記ブラケット本体には、前記配管の下部を支持する水平部が形成され、この水平部には、前記配管の下部を収容する収容部が形成され、前記ブラケット本体は、繊維強化プラスチックから成形されていることを特徴とする。
【０００９】
この構成の本発明では、配管の下部がブラケット本体の水平部に形成された収容部に収容され、配管がブラケット本体の水平部に安定的に支持されるので、配管が水平部上を移動したりしないように手で抑えたり、別途固定具などで配管を仮止めする等の作業員に対する負担が無くなる。その結果、本発明の配管取付用ブラケットによれば、配管の取付作業時における作業員の負担を軽減できる。
また、ブラケット本体は、繊維強化プラスチックから成形されているので、金属製のものに比べて軽量となり、施工時やメンテナンス時での取り扱いが容易となる。さらに、繊維強化プラスチック製のブラケット本体は、塗装をしなくても錆びることがなく、かつ、紫外線や塩害にも強く、耐食性を強いものにできる。そのため、塗装等のメンテナンスが不要とされる。
さらに、繊維強化プラスチック製の配管取付用ブラケットは、金属製のものと比べて安価に製造できる。
【００１０】
本発明の配管取付用ブラケットにおいて、前記収容部は、前記配管の外周部に沿う形状に形成されていることが好ましい。
【００１１】
この構成の本発明では、収容部は、前記配管の外周部に沿う形状に形成されているので、配管が収容部内に収容された際のがたつきを防止できる。また、この収容部によって配管が水平部上で正確に位置決めされるので、複数の配管取付用ブラケットを介して配管を配設する場合に、配管の配設方向を容易に調整できる。
【００１２】
本発明の配管取付用ブラケットにおいて、前記ブラケット本体に取り付けられ前記配管の周囲を覆うバンド部を備え、前記バンド部は、繊維強化プラスチックから成形されていることが好ましい。
【００１３】
この構成の本発明では、ブラケット本体に取り付けられるバンド部によって配管の周囲が覆われることで、配管をより確実に配管取付用ブラケットに固定できる。しかも、バンド部は、繊維強化プラスチックから成形されているので、金属製のものに比べて軽量となり、施工時やメンテナンス時での取り扱いが容易となる。さらに、繊維強化プラスチック製のバンド部は、塗装をしなくても錆びることがなく、かつ、紫外線や塩害にも強く、耐食性を強いものにできる。そのため、塗装等のメンテナンスが不要とされる。
【００１４】
本発明の配管取付用ブラケットにおいて、前記バンド部は、その一端が前記ブラケット本体の前記水平部に取り付けられるとともにその他端が前記構造物に取り付けられ、前記構造物、前記ブラケット本体、及び前記バンド部とで囲まれた領域内で前記配管を支持することが好ましい。
【００１５】
この構成の本発明では、バンド部が、構造物及びブラケット本体に取り付けられる。配管を跨ぐようにしてバンド部の両端をブラケット本体に固定するのではなく、バンド部の一端をブラケット本体の本体部に取り付けて、他端を構造物に取り付ければよいので、バンド部の取付作業が容易になる。特に、配管と構造物との間のスペースが狭い場合には有効である。
また、この構成の本発明では、配管が構造物、ブラケット本体、及びバンド部とで囲まれた領域内で支持されるので、配管の支持安定性が向上する。
【００１６】
本発明の配管取付用ブラケットにおいて、前記ブラケット本体は、断面コ字形に形成されていることが好ましい。
【００１７】
この構成の本発明では、ブラケット本体は、断面コ字形に形成されているので、繊維強化プラスチック製であっても、配管を支持するための十分な強度を得ることができる。
【００１８】
本発明の配管取付用ブラケットにおいて、前記ブラケット本体は、前記水平部の端部に接続されて一体に形成され、前記構造物の鉛直側面に取り付けられる鉛直部を備えていることが好ましい。
【００１９】
この構成の本発明では、ブラケット本体が構造物の鉛直側面に取り付けられる鉛直部を備えるので、配管取付用ブラケットを構造物に取り付けるにあたり、上向き作業が少なくなり、施工やメンテナンスが容易となる。
【００２０】
本発明の配管取付用ブラケットにおいて、前記ブラケット本体の内部には、補強用のステンレス板が埋設されていることが好ましい。
【００２１】
この構成の本発明では、ブラケット本体にステンレス板が埋設されているので、ブラケット本体の強度が大きくなり、大きい質量の配管を支持することができる。
【図面の簡単な説明】
【００２２】
【図１】本発明の実施形態にかかる配管の接続構造が設けられた建造物の断面図。
【図２】前記実施形態にかかる配管取付用ブラケットの正面図。
【図３】前記実施形態にかかる配管取付用ブラケットの側面図。
【図４】前記実施形態の変形例の要部を示す断面図。
【図５】前記実施形態の別の変形例の要部を示す断面図。
【発明を実施するための形態】
【００２３】
以下、本発明の実施形態を図１から図５に基づいて説明する。
図１は、本実施形態にかかる配管の接続構造が設けられた建造物の正面図である。
図１に示される通り、建造物は、橋梁１が橋脚２に支持された高速道路であり、橋梁１の上面は高速道路の路面３となっている。この路面３の両側の路肩には、垂直側壁３Ｗが設けられている。
橋梁１は、橋桁４を備える。この橋桁４の鉛直側面に沿って配管５が図面を貫通する方向に複数接続されている。この配管５は、排水管であり、一端が連結管６に連結され他端が図示しない縦樋に連結される。これにより、橋梁１の路面３に降った雨及び雪が溶けた水が連結管６、配管５及び図示しない縦樋を介して橋脚２の下部に流出される。
配管５は、配管取付用ブラケット１０に取り付けられている。この配管取付用ブラケット１０は、橋桁４の鉛直側面に取り付けられている。
【００２４】
配管取付用ブラケット１０の構成が図２、及び図３に示されている。
図２は、配管取付用ブラケット１０の全体を示す正面図である。図３は、配管取付用ブラケット１０の側面図である。図４、及び図５は、ブラケット本体の変形例の要部を示す断面図である。
図２において、配管取付用ブラケット１０は、円筒状の配管５の下部を支持するとともに橋桁４の鉛直側面に取り付けられるブラケット本体１１と、このブラケット本体１１に取り付けられるとともに配管５の周囲を覆うバンド部１２とを備えて構成され、これらのブラケット本体１１とバンド部１２とはそれぞれ繊維強化プラスチック（ＦＲＰ）から成形されている。繊維としては、ガラス繊維が好ましい。
【００２５】
ブラケット本体１１は、配管５の下部が支持される長尺状の水平部１１１と、この水平部１１１の一端部に上端部が接続された長尺状の鉛直部１１２と、水平部１１１と鉛直部１１２とを接続する略直角三角形状の平面部１１３とを備える。平面部１１３は、図３に示すように、水平部１１１の両側にそれぞれ接続されている。そのため、ブラケット本体１１の正面の輪郭は、図２に示すように、略直角三角形状となっている。また、この略直角三角形状の斜辺部分には、開口部１１３Ａが形成されている。開口部１１３Ａが形成されていることで、図３に示すように、斜辺部側から鉛直部１１２が臨めるようになっている。
このように構成されているブラケット本体１１は、縦断面コ字形に形成されている。
【００２６】
水平部１１１には、配管５の下部を収容するための収容部１１４が形成されている。
収容部１１４は、配管５の外周部に沿う形状で形成されている。本実施形態では、配管５が円筒状なので、収容部１１４は、その外周部に沿って湾曲して形成されている。
収容部１１４の寸法は、配管５を安定して支持できるように設定されていればよい。本実施形態では、収容部１１４の深さ寸法Ｄは、配管５の直径に基づいて設定されている。具体的には、深さ寸法Ｄは、配管５がその直径の５分の１の寸法分、収容部１１４に収容されるように設定されている。例えば、配管５の直径が２００ｍｍの場合、深さ寸法Ｄは、４０ｍｍとなる。また、収容部１１４の幅寸法Ｗは、上述のように設定した深さ寸法分、収容されるように設定されていればよい。例えば、配管５の直径が２００ｍｍの場合、幅寸法Ｗは、１６０ｍｍとなる。
【００２７】
鉛直部１１２は、図２に示すように、橋桁４の鉛直側面と当接される。鉛直部１１２には、図２に示すように、その長手方向に沿って取付孔１１２Ａが２カ所形成されている。
鉛直部１１２は、図２に示される通り、アンカー部材１３で橋桁４に取り付けられている。アンカー部材１３は、橋桁４に形成された孔部に嵌合されるアンカー本体１３１と、このアンカー本体１３１を変形させるボルト部１３２とを有する。このボルト部１３２をねじ込むことでアンカー本体１３１が橋桁４に形成された孔部に嵌合される。このボルト部１３２は取付孔１１２Ａを挿通する。
【００２８】
バンド部１２は、帯状に形成されており、水平部１１１の他端部に取り付けられる第１接合部１２１と、橋桁４の鉛直側面に取り付けられる第２接合部１２２と、これらの第１接合部１２１、及び第２接合部１２２に一体に形成された被覆部１２３とを備えている。
第１接合部１２１と水平部１１１とは、ボルト１４１及びナット１４２からなる接合具１４で互いに接合されている。
第２接合部１２２は、上述のアンカー部材１３で橋桁４の鉛直側面に取り付けられている。
被覆部１２３は、第１接合部１２１、及び第２接合部１２２に接続される端部では直角に折り曲げて形成され、かつ、途中から配管５の外周部の形状に合わせて円弧状に形成されている。
図３に示される通り、バンド部１２は、その幅寸法がブラケット本体１１の幅寸法より短く形成されている。
【００２９】
図２、及び図３で示されるブラケット本体１１では、水平部１１１、鉛直部１１２、及び平面部１１３は、同じ厚さ寸法とされるが、本実施形態では、これに限定されるものではない。
つまり、本実施形態では、図４に示される通り、荷重のかかる鉛直部１１２を水平部１１１、及び平面部１１３より厚く形成してもよく、さらには、図５に示される通り、厚く形成された鉛直部１１２の内部に補強用のステンレス板１１Ｇを埋設するものでもよい。この場合、ステンレス板１１Ｇにもアンカー部材１３のボルト部１３２を挿通する取付孔が形成されている。
【００３０】
このような構造の配管取付用ブラケット１０を製造するには、ブラケット本体１１とバンド部１２とをそれぞれハンドレイ成形法によって製造する。つまり、木又は金属から形成されブラケット本体１１やバンド部１２の形状と同形状の型枠を用意し、この型枠の内部に短繊維のグラスファイバーとポリエステル樹脂とを塗っては乾かす工程を、所定の厚さ寸法になるまで複数回繰り返す。
内部にステンレス板を埋設する場合には、前述の工程を途中まで実施した後、ステンレス板を配置し、その後、続けて前述の工程を実施する。
【００３１】
配管５を配管取付用ブラケット１０にて支持するには、次のようにして行う。
まず、上述のようにして製造した配管取付用ブラケット１０を現場に搬送する。
次に、ブラケット本体１１をアンカー部材１３で橋桁４の鉛直側面に接合する。
この接合後、配管５を、その下部が収容部１１４に収容されるように水平部１１１上に設置する。
この設置後、配管５の周囲をバンド部１２で覆うとともに、バンド部１２の第１接合部１２１をブラケット本体１１の水平部１１１に接合具１４で接合する。さらにバンド部１２の第２接合部１２２をアンカー部材１３で橋桁４の鉛直側面に接合する。
【００３２】
したがって、本実施形態では、次の作用効果を奏することができる。
（１）配管５の下部がブラケット本体１１の水平部１１１に形成された収容部１１４に収容され、配管５が水平部１１１に安定的に支持される。そのため、配管５が水平部１１１上を移動したりしないように手で抑えたり、別途固定具などで配管５を仮止めする等の作業員に対する負担が無くなる。その結果、配管５の取付作業時における作業員の負担が軽減される。
また、本実施形態では、配管５は、その直径の５分の１に相当する寸法分、収容部１１４に収容されているので、バンド部１２で配管５の周囲を覆う際に、より安定的に支持される。
【００３３】
（２）ブラケット本体１１、及びバンド部１２は、繊維強化プラスチックから成形されているので、金属製のものに比べて軽量となり、施工時やメンテナンス時での取り扱いが容易となる。さらに、繊維強化プラスチック製のブラケット本体は、塗装をしなくても錆びることがなく、かつ、紫外線や塩害にも強く、耐食性を強いものにできる。そのため、塗装等のメンテナンスが不要とされる。
さらに、繊維強化プラスチック製のブラケット本体１１、及びバンド部１２は、金属製のものと比べて安価に製造できる。
【００３４】
（３）収容部１１４は、配管５の外周部に沿う形状で湾曲しているので、配管５が収容部１１４内に収容された際のがたつきを防止できる。また、この収容部１１４によって配管５が水平部１１１上で正確に位置決めされるので、複数の配管取付用ブラケット１０を介して複数接続された配管５を配設する場合に、配管５の配設方向を容易に調整できる。
【００３５】
（４）配管取付用ブラケット１０に取り付けられるバンド部１２によって配管５の周囲が覆われることで、配管５をより確実に配管取付用ブラケット１０に固定できる。
【００３６】
（５）バンド部１２が、橋桁４の鉛直側面、及びブラケット本体１１の水平部１１１に取り付けられる。配管５を跨ぐようにしてバンド部１２の両端を水平部１１１に固定するのではなく、バンド部１２の一端である第１接合部１２１を水平部１１１に接合し、他端である第２接合部１２２を橋桁４の鉛直側面に取り付ければよいので、バンド部１２の取付作業が容易になる。特に、配管５と橋桁４の鉛直側面との間のスペースが狭い場合には有効である。
また、この構成では、配管５が構造物、ブラケット本体１１、及びバンド部１２とで囲まれた領域内で支持されるので、配管５の支持安定性が向上する。
【００３７】
（６）ブラケット本体１１が鉛直部１１２を備えるので、配管取付用ブラケット１０を橋桁４の鉛直側面に取り付けるにあたり、上向き作業が少なくなり、施工やメンテナンスが容易となる。
【００３８】
（７）ブラケット本体１１は、縦断面コ字形に形成されているので、繊維強化プラスチック製であっても、配管５を支持するための十分な強度を得ることができる。
【００３９】
（８）ブラケット本体１１の鉛直部１１２を水平部１１１や平面部１１３より厚く形成すれば、荷重のかかる鉛直部１１２を補強することができるので、より重量のある配管５を支持することができる。
【００４０】
（９）鉛直部１１２の内部に補強用のステンレス板１１Ｇを埋設すれば、ブラケット本体１１の強度が大きくなり、重量のある配管５を確実に支持することができる。
【００４１】
（１０）ブラケット本体１１とバンド部１２とをそれぞれハンドレイ成形法によって製造するから、これらの部材の一体成形が容易に実現できるので、製造コストが低いものになる。
【００４２】
なお、本発明は、上述した実施形態に限定されるものではなく、本発明の目的を達成できる範囲で以下に示される変形をも含むものである。
例えば、前記実施形態では、円筒状の配管５を取り付けるものとしたが、本発明では、角筒の配管を取り付けるものにも適用することができる。この場合、収容部１１４やバンド部１２の被覆部１２３は、角筒の形状に合わせて形成される。
【００４３】
また、収容部１１４の形状は、上述の実施形態では、配管５の外周部に沿う形状で湾曲しているものとしたが、このような形状に限定されない。例えば、配管５の曲率よりも大きい曲率で湾曲させた形状であってもよいし、多角形状の窪ませた形状であってもよいし、湾曲状と多角形状とを組み合わせた形状であってもよい。
【００４４】
また、上述の実施形態では、配管５を排水管の例として説明したが、本発明は、このような例に限定されない。例えば、配管５は、光ファイバーや電線等のコード類を収納するものであってもよい。
【００４５】
また、上述の実施形態では、収容部１１４は、水平部１１１に一つ形成された例を示したが、本発明は、このような例に限定されない。例えば、水平部１１１に対して、２つの収容部１１４を形成して、それぞれの収容部１１４に配管５を収容させてもよい。
【００４６】
また、上述の実施形態では、配管５をバンド部１２で抑える構成を例に挙げて説明したが、本発明は、このような例に必ずしも限定されない。例えば、収容部１１４の深さ寸法Ｄを大きくして、配管５をより深い収容部で収容する構成とすれば、バンド部１２で抑えずとも、配管５を安定して支持することもできる。
【００４７】
さらに、本発明に適用される構造物は高速道路に限定されるものではなく鉄道、その他の構造物であってもよい。
【産業上の利用可能性】
【００４８】
本発明は、高速道路、鉄道、その他、橋梁を有する建造物一般に利用することができる。
【符号の説明】
【００４９】
５…配管、１０…配管取付用ブラケット、１１…ブラケット本体、１１Ｇ…ステンレス板、１２…バンド部、１１１…水平部、１１２…鉛直部、１１３…平面部、１１４…収容部。
【図１】
2013096154.tif 000003
【図２】
2013096154.tif 000004
【図３】
2013096154.tif 000005
【図４】
2013096154.tif 000006
【図５】
2013096154.tif 000007